(57)【要約】【課題】天井面材以外の部材を吊る吊り部材がデッキスラブ床の厚肉となる箇所に設けることができない場合でも、当該吊り部材をしっかりと支持できる吊り天井構造を提供する。【解決手段】吊り天井構造は、天井面材１を吊り支持する本来の吊り構造に天井受け構造２を備えることで構成される。この天井受け構造２は、上記天井面材１の下面（室内側）に固定された天井受け材３と、水平方向に可動で振動を吸収し減衰する可動部材４と、上記可動部材４を介して上記天井受け材３を支持する支持部材５と、上記支持部材５を吊る吊り部材６と、上記吊り部材６の揺れを抑制する振れ止め７とを備える。上記吊り部材６は建物１００の柱１０１および小梁１０３に水平に張られた吊り元８に支持される。【選択図】図１
2015218470.tif 000002
【特許請求の範囲】
【請求項１】
天井面材を吊る吊り構造と、天井面材以外の部材を吊る吊り部材と、建物の構造躯体に水平に連結され、上記吊り部材が係止される吊り元と、を備えたことを特徴とする吊り天井構造。
【請求項２】
請求項１に記載の吊り天井構造において、上記天井面材以外の部材である天井受け材を上記天井面材の下面側に配置して上記吊り部材により支持することを特徴とする吊り天井構造。
【請求項３】
請求項２に記載の吊り天井構造において、水平方向に可動で振動を吸収し減衰する可動部材と、上記天井受け材を、当該天井受け材が上記吊り構造に対し重量負担にならないように、上記可動部材を介して支持する支持部材とを備え、上記支持部材を上記吊り部材により吊ることを特徴とする吊り天井構造。
【請求項４】
請求項１〜請求項３のいずれか１項に記載の吊り天井構造において、上記吊り元は、線状材と、上記線状材に張力を付与する張力付与手段とからなることを特徴とする吊り天井構造。
【請求項５】
請求項４に記載の吊り天井構造において、複数の線状材がクロス状に設けられていることを特徴とする吊り天井構造。
【請求項６】
天井面材を吊る吊り構造を備える新築の建物の構造躯体に予め固定されている連結用部材または上記構造躯体に予め形成されている連結用孔を用いて水平に吊り元を張る工程と、上記吊り元に吊り部材を取り付ける工程と、上記天井面材以外の部材を上記吊り部材により吊る工程と、を有することを特徴とする吊り天井施工方法。
【発明の詳細な説明】
【技術分野】
【０００１】
この発明は、天井面材を吊り部材を介して支持する吊り天井構造およびリフォームにおいて用いることができる吊り天井施工方法に関する。
【背景技術】
【０００２】
吊りボルトや野縁等により構築される吊り天井構造においては、地震時に天井面材が野縁受け或いは上記野縁から外れて脱落することがあり、これを防止するために、上記天井面材の下面に天井受け枠を固定し、上記天井面材を貫通して設けられる吊りボルトによって上記天井受け枠を天井躯体から吊り下げることが行われている。このような構造は、既存の建物に後付けすることが可能である。
【０００３】
また、特許文献１には、方形の四隅の位置に立設した４本の柱と、この４本の柱の上端部を方形の辺に沿って連結した４本の天井梁と、この相対する天井梁に差し渡した天井小梁とからなる天井構造を備えたものであって、対角の柱の上端部が水平ブレースで連結され、この水平ブレースと天井小梁とが連結されている建物ユニットが開示されている。
【先行技術文献】
【特許文献】
【０００４】
【特許文献１】特開２０００−３４５６１６号公報
【発明の概要】
【発明が解決しようとする課題】
【０００５】
上記天井受け枠をデッキスラブ床から吊りボルトで吊るすとなると、このデッキスラブ床では溝部（コンクリートが厚肉となる箇所）に配管等が設けられるため、この溝部にアンカーボルトを装着するための穴あけを行うことを避け、山部（コンクリートが薄肉となる箇所）に穴をあけて上記吊りボルトを設けることになる。しかしながら、上記山部は薄肉となる箇所であるので支持耐力を確保し難いという欠点がある。
【０００６】
また、上記特許文献１に記載の構造は、建物ユニットにおいて天井部に水平ブレースを設けることを開示するに過ぎず、水平ブレース状のものに吊りボルト等を設ける構造については全く開示しない。
【０００７】
この発明は、上記の事情に鑑み、天井面材以外の部材を吊る吊り部材をデッキスラブ床の厚肉となる箇所に設けることができない場合でも、当該吊り部材をしっかりと支持できる吊り天井構造を提供することを課題とする。
【課題を解決するための手段】
【０００８】
この発明の吊り天井構造は、上記の課題を解決するために、天井面材を吊る吊り構造と、天井面材以外の部材を吊る吊り部材と、建物の構造躯体に水平に連結され、上記吊り部材が係止される吊り元と、を備えたことを特徴とする。
【０００９】
上記の構成であれば、天井面材以外の部材を吊る吊り部材がデッキスラブ床の厚肉となる箇所に設けることができない場合でも、上記建物の構造躯体に水平に連結された上記吊り元によって、上記吊り部材をしっかりと支持できる。
【００１０】
上記天井面材以外の部材である天井受け材を上記天井面材の下面側に配置して上記吊り部材により支持してもよい。これによれば、地震動による上記天井面材の脱落を上記天井受け材で抑制することができる。
【００１１】
水平方向に可動で振動を吸収し減衰する可動部材と、上記天井受け材を、当該天井受け材が上記吊り構造に対し重量負担にならないように、上記可動部材を介して支持する支持部材とを備え、上記支持部材を上記吊り部材により吊ってもよい。これによれば、上記天井受け材を利用する構造において地震時における天井の揺れの減衰を図ることができる。
【００１２】
上記吊り元は、線状材と、上記線状材に張力を付与する張力付与手段からなっていてもよい。これによれば、上記吊り元を建物、特に既存の建物に簡単に取り付けることができ、また、上記線状材に適度な張力を与えることができる。
【００１３】
複数の線状材がクロス状に設けられていてもよい。これによれば、建物の仕口を用いて上記複数の線状材を設けることが容易になる。また、上記吊り部材の配置において、上記仕口に近い側では上記吊り部材の間隔を空け、遠い側で上記吊り部材の間隔を狭めることが容易になる。
【００１４】
また、この発明の吊り天井施工方法は、天井面材を吊る吊り構造を備える新築の建物の構造躯体に予め固定されている連結用部材または上記構造躯体に予め形成されている連結用孔を用いて水平に吊り元を張る工程と、上記吊り元に吊り部材を取り付ける工程と、上記天井面材以外の部材を上記吊り部材により吊る工程と、を有することを特徴とする。
【００１５】
上記の構成であれば、リフォーム時に天井面材以外の部材を設けることとなった場合でも、上記既設の連結用部材または連結用孔を用いて吊り元を簡単に張ることができ、上記吊り元で上記吊り部材をしっかりと支持することができる。
【発明の効果】
【００１６】
本発明であれば、天井面材以外の部材を吊る吊り部材がデッキスラブ床の厚肉となる箇所に設けることができない場合でも、当該吊り部材をしっかりと支持できるという効果を奏する。
【図面の簡単な説明】
【００１７】
【図１】この発明の実施形態の吊り天井構造を示した概略の平面図である。
【図２】図１の吊り天井構造を示した概略の側面図である。
【図３】図１の吊り天井構造を示した概略の斜視図である。
【図４】図１の吊り天井構造で用いられた第１可動部材を示した概略の斜視図である。
【図５】図１の吊り天井構造で用いられた第１可動部材の他の例を示した概略の斜視図である。
【図６】図５の第１可動部材と天井受け材および第１支持部材の連結例を示した概略の斜視図である。
【発明を実施するための形態】
【００１８】
以下、この発明の実施の形態を添付図面に基づいて説明する。
図１および図２に示すように、鉄骨造の建物１００において柱１０１に大梁１０２が接合されており、上記大梁１０２に小梁１０３が所定の間隔で接合されている。そして、上記大梁１０２および小梁１０３上に支持される図示しないデッキプレート上にコンクリートが投入されてデッキスラブ床が設けられる。山部および溝部を有するデッキスラブを用いる場合、一般に上記デッキスラブ床の溝部（コンクリートが厚肉となる箇所）には、天井面材１を吊る吊り構造で用いる吊りボルトのためのアンカーが設けられている。また、上記溝部には配管等が設けられることがある。
【００１９】
上記天井面材１を吊る吊り構造には一般的な吊り構造を採用できる。例えば、上記アンカーに吊りボルトが装着され、上記吊りボルトに野縁受けが所定の金具を介して取り付けられ、上記野縁受けに野縁が所定の金具により固定される。この野縁に上記天井面材１が固定される。
【００２０】
そして、この実施形態の吊り天井構造は、上記吊り構造に天井受け構造２を備えることで構成される。上記天井受け構造２は、一般に上記大梁１０２と小梁１０３の間に設けられる。
【００２１】
上記天井受け構造２は、図３にも示すように、上記天井面材１の下面である室内仕上げ面に固定された天井受け材３と、水平方向に可動で振動を吸収し減衰させる可動部材４と、上記天井受け材３を、当該天井受け材３が上記吊り構造に対し重量負担にならないように、上記可動部材４を介して支持する支持部材５と、上記支持部材５を吊る吊り部材６と、上記吊り部材６の揺れを抑制する振れ止め７と、を備える。
【００２２】
上記天井受け材３は例えば溝形或いは角パイプ形のアルミニウム材を用いた長方形状フレームからなる。この天井受け材３は、例えば、両面テープ１１或いはビス等によって上記天井面材１に固定される。
【００２３】
上記支持部材５は、水平第１方向（Ｙ方向）に可動である上記可動部材４としての第１可動部材４Ａを介して上記天井受け材３を支持する第１支持部材５Ａと、上記水平第１方向に直交する水平第２方向（Ｘ方向）に可動である上記可動部材４としての第２可動部材４Ｂを介して上記天井受け材３を支持する第２支持部材５Ｂとを備える。なお、上記長方形状の天井受け材３のＹ方向に上記第１支持部材５Ａを複数備えてもよい。
【００２４】
上記第１支持部材５Ａは例えば溝形或いは角パイプ形のアルミニウム材を用いた方形状フレームからなり、上記天井受け材３の内側に配置される。そして、上記天井受け材３の長辺となる枠部に上記第１可動部材４Ａを介して取り付けられる。なお、天井に取り付けられる照明装置や空調装置を上記第１支持部材５Ａ内に位置させるようにしてもよい。
【００２５】
上記第２支持部材５Ｂは例えば溝形或いは角パイプ形のアルミニウム材を用いた棒状材からなり、上記天井受け材３の短辺となる２箇所の枠部の外側に上記第２可動部材４Ｂを介して取り付けられている。
【００２６】
上記第１可動部材４Ａは、図４にも示すように、例えば、断面コ字状の外側材４１と、上記外側材４１内に挿入された断面コ字状の内側材４２と、直方体形状を有する複数の粘弾性体４３とを備える。上記第２可動部材４Ｂも同様の構造を有する。上記粘弾性体４３は、樹脂材料、ゴム系材料、ゲル状材等からなる。
【００２７】
上記外側材４１の上下水平片の内面にはそれぞれガイド突起４１ａが形成されている。また、上記内側材４２の上下水平片の外面にはそれぞれガイド凹部４２ａが形成されている。上記ガイド突起４１ａと上記ガイド凹部４２ａが嵌め合わされることで、上記外側材４１と上記内側材４２は、上記水平第１方向（Ｙ方向）にスライド可動で上記水平第２方向（Ｘ方向）の移動が制限される。
【００２８】
上記粘弾性体４３における上記水平第２方向（Ｘ方向）に直交する２つの縦面のうちの一方は、上記内側材４２の立片部の内側面に接着される。また、上記粘弾性体４３の他方の縦面は、上記外側材４１の立片部の内側に接着される。これにより、上記外側材４１（上記天井受け材３側）と上記内側材４２（上記第１支持部材５Ａ側）が相対的に上記水平第１方向（Ｙ方向）にスライド移動するとき、上記粘弾性体４３が平行四辺形状に変形することになる。この変形により、地震動による上記水平第１方向（Ｙ方向）の揺れが吸収され減衰される。
【００２９】
図５は上記第１可動部材４Ａの他の例を示している。この例では、上記外側材４１および上記内側材４２における上下水平片にＹ方向に長いガイド穴４４が形成されており、これら上下のガイド穴４４を貫通してボルト・ナット４５が設けられている。このような構造でも、上記外側材４１と上記内側材４２は、上記水平第１方向（Ｙ方向）にスライド可動で上記水平第２方向（Ｘ方向）の移動が制限される。
【００３０】
なお、上記ガイド突起４１ａおよび上記ガイド凹部４２ａ、或いは上記ガイド穴４４およびボルト・ナット４５を設けない構成を採用することも可能である。また、上記粘弾性体４３に代えて、例えばバネとダンパーからなるショックアブソーバー等を用いて地震の振動を吸収し減衰することもできる。
【００３１】
上記外側材４１と上記天井受け材３との連結は、例えば、図６に示すように、上記外側材４１の立片部においてボルト・ナット４６による締結で行うことができる。また、上記内側材４２と上記第１支持部材５Ａとの連結も、例えば、上記内側材４２の立片部においてボルト・ナット４７による締結で行うことができる。上記第２可動部材４Ｂへの上記天井受け材３の連結および上記第２支持部材５Ｂの連結も同様に行うことができる。
【００３２】
また、図２および図３に示したように、上記第１支持部材５Ａおよび上記第２支持部材５Ｂを吊る吊り部材６は、その下端部にピン支持構造５１を有する。上記ピン支持構造５１を備えることで所望の方向の回動を可能にできるが、必ずしもこのような回動が行われなくてもよい。また、上記ピン支持構造５１を用いると、ピンとその支持部の間に粘弾性体等を介在させて振動の減衰に寄与できるようにすることも可能である。
【００３３】
また、上記吊り部材６を配置する箇所には、当該吊り部材６を通す貫通穴１ａが上記天井面材１に形成されている。上記貫通穴１ａは地震時における上記可動部材４の変位量を考慮して大きめに形成されている。そして、上記天井面材１の裏面側には上記貫通穴１ａを覆う覆い部材１２が設けられている。この覆い部材１２は例えば円形の板材からなり、上記吊り部材６を通す挿通孔を有する。
【００３４】
上記吊り部材６の上端部には図示しないフック部が形成されており、このフック部を吊り元８に係止固定することができる。また、上記フック部と吊り部材本体部との間にもピン支持構造５２が設けられている。上記ピン支持構造５２を用いることで所望の方向の回動を可能にできるが、必ずしもこのような回動が行われなくてもよい。また、上記ピン支持構造５２を用いると、ピンとその支持部の間に粘弾性体等を介在させて振動の減衰に寄与できるようにすることも可能である。
【００３５】
また、上記第１支持部材５Ａを支持する上記吊り部材６には、振れ止め７Ａがクロス状に設けられている。上記振れ止め７Ａは、上記第１可動部材４Ａの移動方向（Ｙ方向）と同方向の力を受け止めるように上記天井受け材３の長辺と平行に配置されており、上記吊り部材６が上記水平第１方向（Ｙ方向）に揺れるのを引っ張り形式で抑制する。なお、振れ止め７Ａの交点箇所に粘弾性体等を介在させて振動の減衰に寄与できるようにしてもよい。
【００３６】
また、上記第２支持部材５Ｂを支持する上記吊り部材６には、振れ止め７Ｂがクロス状に設けられている。上記振れ止め７Ｂは、上記第２可動部材４Ｂの移動方向（Ｘ方向）と同方向の力を受け止めるように上記天井受け材３の短辺と平行に配置されており、上記吊り部材６が上記水平第２方向（Ｘ方向）に揺れるのを引っ張り形式で抑制する。なお、振れ止め７Ｂの交点箇所に粘弾性体等を介在させて振動の減衰に寄与できるようにしてもよい。
【００３７】
上記吊り元８は線状材（ワイヤ、丸鋼等）を水平にクロスさせてなる。上記吊り元８の端部は、上記大梁１０２および上記小梁１０３に設けられた図示しないガセットプレートや羽子板に連結されている。なお、上記ガセットプレートや羽子板が設けられていない既設の建物に上記吊り元８を後付けする場合には、上記小梁１０３等を構成するＨ形鋼のフランジに孔を形成し、この孔にワイヤを通して結ぶようにしてもよい。上記吊り元８には、張力付与手段として図示しないターンバックルが設けられており、所定の張力を上記吊り元８に与えられるようにしている。上記線状材からなる吊り元８はクロス配置に限らず、平行配置としてもよいし、また、適切な箇所に吊り元を位置させることができない場合に追加で吊り元を張るようにしてもよいものである。また、上記の例では、各天井受け構造２において１つのクロスが形成されるように上記吊り元８が設けられたが、各天井受け構造２の長手方向にクロスが２箇所形成されるようにしてもよい。なお、上記吊り元８は、上記線状材に限らず、溝形鋼材等であってもよい。
【００３８】
上記の構成であれば、天井面材１を吊る吊り構造と、天井面材以外の部材を吊る吊り部材６と、建物１００の構造躯体（大梁１０２、小梁１０３）に水平に連結される吊り元８とを備えるので、天井面材以外の部材を吊る吊り部材６がデッキスラブ床の厚肉となる箇所に設けることができない場合でも、上記吊り元８によって、上記吊り部材６をしっかりと支持できる。
【００３９】
上記天井面材１の下面に固定された天井受け材３を上記吊り部材６により支持する構造であれば、地震で上記天井面材１が脱落するのを上記天井受け材３で防止することができる。具体的には、地震により上記吊り構造が破損して上記天井面材１が脱落しようとしても、上記天井受け材３が上記天井面材１の下に位置しており、上記天井受け材３は上記可動部材４および支持部材５を介して上記吊り部材６にて吊られているので、上記天井面材１の脱落を抑制することができる。
【００４０】
水平方向に可動で振動を吸収し減衰する上記可動部材４と、上記天井受け材３を、当該天井受け材３が上記吊り構造に対し重量負担にならないように、上記可動部材４を介して支持する支持部材５とを備え、上記支持部材５を上記吊り部材６により支持する構造であれば、上記天井受け材３を利用する構造において地震時における天井の揺れの減衰を図ることができる。特に、この実施形態においては、上記天井面材１が地震動で揺れるときに上記天井受け材３も一体となって移動し、上記天井受け材３の揺れが上記可動部材４によって減衰されて上記天井面材１の揺れが減衰される。そして、上記天井面材１を吊る本来の吊り構造には上記天井受け材３の重量の負担がないため、上記吊り構造の固有の周期に影響を与えない。換言すれば、上記吊り構造において部分的に周期が異なる箇所の混在を防止でき、地震による天井の不測の挙動を抑制することができる。
【００４１】
上記吊り元８が線状材と当該線状材に張力を付与する張力付与手段とからなると、上記吊り元を建物、特に既存の建物に簡単に取り付けることができ、また、上記線状材に適度な張力を与えることができる。上記張力付与手段がターンバックルであれば、上記張力の付与が容易に行える。
【００４２】
複数の吊り元８がクロス状に設けられていると、建物１００の仕口を用いて上記複数の吊り元８を設けることが容易になる。また、上記吊り部材６の配置において、上記仕口に近い側では上記吊り部材６の間隔を広げ、遠い側では上記吊り部材６の間隔を狭めることが容易になる。なお、例えばクロス状に設けられ吊り元８における各線状材の途中で他の線状材を例えば方形状に連結することも可能である。すなわち、クロス配置の線状材と平行配置の線状材を組み合わせた吊り元とするようにしてもよい。
【００４３】
新築の建物に上記吊り元８を予め設けておき、上記天井受け構造２は設けずにおくこともできる。この場合、リフォームで上記天井受け構造２を後付けする場合に、上記吊り元８が事前に設けられていることから、上記天井面材１の取外し等の作業の工程を少なくすることができる。
【００４４】
また、新築の建物に上記吊り元８を設けるための連結用部材（ガセットプレートや羽子板）或いは連結用孔を予め設けておき、上記吊り元８および上記天井受け構造２を設けずにおくこともできる。すなわち、天井面材１を吊る吊り構造を備える新築の建物の構造躯体に予め固定されている連結用部材または上記構造躯体に予め形成されている連結用孔を用いて水平に吊り元８を張る工程と、上記吊り元８に吊り部材６を取り付ける工程と、上記天井面材以外の部材である上記天井受け材３を上記吊り部材６により吊る工程と、を有してもよい。もちろん、上記可動部材４や上記支持部材を設けてもよい。また、上記連結用部材や連結用孔は鉄骨製作工場で柱や梁に設けておくのがよい。
【００４５】
上記の吊り天井施工方法であれば、リフォーム時に天井面材以外の部材である例えば天井受け材３を設けることとなった場合でも、上記既設の連結用部材または連結用孔を用いて吊り元８を簡単に張ることができ、上記吊り元８で上記吊り部材６をしっかりと支持することができる。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      天井面材
１ａ    貫通穴
１２    覆い部材
２      天井受け構造
３      天井受け材
４      可動部材
４Ａ    第１可動部材
４Ｂ    第２可動部材
５      支持部材
５Ａ    第１支持部材
５Ｂ    第２支持部材
６      吊り部材
７      振れ止め
【図１】
2015218470.tif 000003
【図２】
2015218470.tif 000004
【図３】
2015218470.tif 000005
【図４】
2015218470.tif 000006
【図５】
2015218470.tif 000007
【図６】
2015218470.tif 000008